(57)【要約】      （修正有）【課題】硬貨、紙幣、カードの収納が可能な薄型の二つ折りの財布を提供する。【解決手段】材料シートにおける硬貨収納部１２相当部における紙幣収納部１１相当部との境界部１２Ｓ、硬貨収納部１２相当部の中央部それぞれで内側に折り込み、上下端縁部分を紙幣収納部１１相当部の片側半分の縁部に重ね合わせて縫着若しくは接着して硬貨収納部１２相当部の中央部を自由に持ち上げられる不縫着部１２ＢＴとする扁平な袋状の硬貨収納部１２を形成し、材料シートにおけるカード収納部１３相当部における紙幣収納部１１相当部との境界部１３Ｓ、カード収納部１３相当部の中央部それぞれで内側に折り込み、上下端縁部分１３ＴＰを紙幣収納部１１相当部の他側半分の縁部に重ね合わせて縫着若しくは接着してカード収納部１３相当部の中央部を自由に持ち上げられる不縫着部１３ＢＴとする扁平な袋状のカード収納部１３を形成した二つ折り財布を特徴とする。【選択図】図３
0003201862.tif 000002
【実用新案登録請求の範囲】
【請求項１】
材料シートにおける硬貨収納部相当部における紙幣収納部相当部との境界部、前記硬貨収納部相当部の中央部それぞれで内側に折り込み、上下端縁部分を前記紙幣収納部相当部の片側半分の縁部に重ね合わせて縫着若しくは接着して前記硬貨収納部相当部の中央部を自由に持ち上げられる不縫着部とする扁平な硬貨収納部を形成し、
前記材料シートにおけるカード収納部相当部における前記紙幣収納部相当部との境界部、前記カード収納部相当部の中央部それぞれで内側に折り込み、上下端縁部分を前記紙幣収納部相当部の他側半分の縁部に重ね合わせて縫着若しくは接着して前記カード収納部相当部の中央部を自由に持ち上げられる不縫着部とする扁平なカード収納部を形成したことを特徴とする二つ折り財布。
【請求項２】
前記硬貨収納部相当部、前記カード収納部相当部の左右の幅は前記紙幣収納部相当部の長さの半分よりも若干短く設定することによって当該財布を二つ折りにした状態で前記硬貨収納部とカード収納部との突き合う端縁部間にクリアランスを形成し、当該財布を二つ折りした際に、前記硬貨収納部と前記カード収納部とのそれぞれの厚みにより干渉し合うことがないようにした請求項１に記載の財布。
【請求項３】
前記硬貨収納部の開口部に蓋となる突片を連設し、前記カード収納部の開口部に前記突片と同形状の切欠を形成し、
前記二つ折り状態で、前記突片が前記切欠にはまり込むようにして薄型にした請求項１または２に記載の財布。
【考案の詳細な説明】
【技術分野】
【０００１】
本考案は、多機能でありながら厚みの薄い二つ折り財布に関する。
【背景技術】
【０００２】
従来、財布として様々な種類が販売されており、様々な提案もなされている。例えば特許文献１では、紙幣と複数枚のカード類を収納可能でありながら薄型の財布が提案されている。また、特許文献２では、内部に収納した物を見やすく、且つ、取り出しやすい収納具の提案がなされている。特許文献３では、外側にカード入れを設けた三つ折りタイプの薄型の財布についての提案がなされている。特許文献４では、薄型のカード入れ兼紙幣ホルダーが提案されている。
【先行技術文献】
【特許文献】
【０００３】
【特許文献１】実登３１４７３７４号公報
【特許文献２】実登３１９６２５６号公報
【特許文献３】特開２０１２−１９６２９１号公報
【特許文献４】実登３１８２２８１号公報
【考案の概要】
【考案が解決しようとする課題】
【０００４】
従来の財布では、薄型の場合、硬貨を収納できなかったり、紙幣の出し入れがし難かったり、むき出しであったりするものが多く、硬貨、カード、紙幣が安心して収納でき、且つ、紙幣を折らずに収納できる二つ折りの薄型の財布は殆ど知られていない。
【０００５】
本考案はこのような従来技術の問題点に鑑みてなされたものであり、薄型でありながら硬貨、紙幣、カードの収納が可能であり、且つ、紙幣の出し入れがしやすい二つ折りの財布を提供することを目的としている。
【課題を解決するための手段】
【０００６】
本考案は、材料シートにおける硬貨収納部相当部における紙幣収納部相当部との境界部、前記硬貨収納部相当部の中央部それぞれで内側に折り込み、上下端縁部分を前記紙幣収納部相当部の片側半分の縁部に重ね合わせて縫着若しくは接着して前記硬貨収納部相当部の中央部を自由に持ち上げられる不縫着部とする扁平な硬貨収納部を形成し、前記材料シートにおけるカード収納部相当部における前記紙幣収納部相当部との境界部、前記カード収納部相当部の中央部それぞれで内側に折り込み、上下端縁部分を前記紙幣収納部相当部の他側半分の縁部に重ね合わせて縫着若しくは接着して前記カード収納部相当部の中央部を自由に持ち上げられる不縫着部とする扁平なカード収納部を形成した二つ折り財布を特徴とする。
【０００７】
上記財布では、前記硬貨収納部相当部、前記カード収納部相当部の左右の幅は前記紙幣収納部相当部の長さの半分よりも若干短く設定することによって当該財布を二つ折りにした状態で前記硬貨収納部とカード収納部との突き合う端縁部間にクリアランスを形成し、当該財布を二つ折りした際に、前記硬貨収納部と前記カード収納部とのそれぞれの厚みにより干渉し合うことがないようにしたものとすることができる。
【０００８】
また、上記財布では、前記硬貨収納部の開口部に蓋となる突片を連設し、前記カード収納部の開口部に前記突片と同形状の切欠を形成し、前記二つ折り状態で、前記突片が前記切欠にはまり込むようにして薄型にできる。
【考案の効果】
【０００９】
本考案によれば、紙幣収納部の内側の半分に扁平な硬貨収納部を形成し、紙幣収納部の内側の他の半分に扁平なカード収納部を形成した二つ折り財布であるので、紙幣を折り畳まずに収納でき、同時に硬貨もカードも収納でき、しかも二つ折り状態でも薄くでき、持ち運ぶに便利な財布が提供できる。
【図面の簡単な説明】
【００１０】
【図１】本考案の１つの実施の形態の財布の折り畳み状態の斜視図である。
【図２】上記実施の形態の財布の展開状態の斜視図である。
【図３】上記実施の形態の財布の紙幣収納部を開いた状態を示す説明図である。
【図４】上記実施の形態の財布の硬貨収納部を開いた状態を示す説明図である。
【図５】上記実施の形態の財布の設計図である。
【考案を実施するための形態】
【００１１】
以下、本考案の実施の形態を図に基づいて詳説する。図１〜図４に示す実施の形態の財布１は二つ折り型であり、図２に示す展開状態で紙幣を折らずに収納できる大きさである。そして図２〜図４に示すように、この財布１は、折らずに展開した状態の紙幣ＢＩＬをそのまま収納できる大きさの紙幣収納部１１、この紙幣収納部１１の片側半分の内側に形成されている硬貨収納部１２、他の片側半分の内側に形成されているカード収納部１３を備えている。
【００１２】
図５は材料シートを示し、出来上がった財布１を折り畳んだ時に表側に出る面を示している。この財布１の材料シートにおいて、紙幣収納部１１の片側の短辺（図２、図５では左端、図３、図４では右端）に連続して、その短辺の長さ（幅方向の長さ）が紙幣収納部１１の幅の約２倍の長さの硬貨収納部１２を設けている。そして硬貨収納部１２の上半分の左端には、硬貨収納部１２の蓋となる台形型の突片１２ＰＲを設けている。
【００１３】
図５に示す財布１の材料シートにおいて、紙幣収納部１１の他側の短辺（図２、図５では右端、図３、図４では左端）に連続して、その短辺の長さ（幅方向の長さ）が紙幣収納部１１の幅の約２倍の長さのカード収納部１３を設けている。そしてカード収納部１３の上半分の右辺には、硬貨収納部１２側の突片１２ＰＲとほぼ一致する形状の切欠１３ＣＴを設けている。
【００１４】
図５に示す材料シートを用いて実施の形態の財布１を製作する際には、該当する位置に互いにはめ合わせるための雄ホック、雌ホックをかしめて取り付けている。符号３２Ｆ（ウラ）は雌ホック３２Ｆの裏側を示している。また図５の材料シートの設計図において、二点鎖線１２Ｓ，１２ＢＴ，１３Ｓ，１３ＢＴは紙面の向こう側に山折りする線、一点鎖線１２０も向こう側に山折りする線を示している。また破線２１，２２は縫着線を示している。
【００１５】
図５に示す材料シートから実施の形態の財布１を製作するには、同図において硬貨収納部１２における紙幣収納部１１との境界部１２Ｓまた硬貨収納部１２の中央の不縫着部１２ＢＴそれぞれで紙面向こう側に折り込み、縫着線２１の部分を重ね合わせて縫い付ける。これによって硬貨収納部１２の上下の短辺１２ＴＰの部分同士が紙幣収納部１１の左半分の上縁部に縫い合わせられ、図３に示すように不縫着部１２ＢＴは紙幣収納部１１から自由にめくり上げられる状態になった硬貨収納部１２が出来上がる。
【００１６】
同様に、カード収納部１３における紙幣収納部１１との境界部１３Ｓまたカード収納部１３の不縫着部１３ＢＴそれぞれで紙面向こう側に山折りし、縫着線２２の部分を重ね合わせて縫い付ける。これによってカード収納部１３の上下の短辺１３ＴＰの部分同士が紙幣収納部１１の右半分の上縁部に縫い合わせられ、不縫着部１３ＢＴが紙幣収納部１１から自由にめくり上げられる状態になったカード収納部１３が出来上がる。
【００１７】
尚、硬貨収納部１２、カード収納部１３の左右の幅は紙幣収納部１１の長さの半分よりも若干短く設定することにより、二つ折りにした状態でこれらの硬貨収納部１２とカード収納部１３との突き合う端縁部間にクリアランスができるようにしている。これにより、財布１を二つ折りする際に、硬貨収納部１２とカード収納部１３とのそれぞれの厚みにより干渉し合うことがなく、図１に示したようにスムーズに二つ折りできるようにしている。同時に、財布１を図２に示すように開いた時に紙幣収納部１１に紙幣が入っているか、またどれくらい入っているかを一瞥で判断できるようにもしている。
【００１８】
図１〜図４は以上のようにして製作された実施の形態の財布１を示している。実施の形態の財布１は二つ折り型であり、図２に示す展開状態で紙幣ＢＩＬを折らずに収納できる大きさである。そして図２〜図４に示すように、この財布１は、折らずに展開した状態の紙幣ＢＩＬをそのまま収納できる大きさの紙幣収納部１１、この紙幣収納部１１の片側半分の内側に形成されている硬貨収納部１２、他の片側半分の内側に形成されているカード収納部１３を備えている。硬貨収納部１２、カード収納部１３は共に２辺が袋状に縫い上げられており、図３、図４に示すように縫い付けられていない不縫着部１２ＢＴ，１３ＢＴは自由端となっては持ち上げてその下側を広く開けることができ、これによってその裏側の紙幣収納部１１に紙幣ＢＩＬを折らずにそのままでスムーズに出し入れできる。また、硬貨収納部１２の突片１２ＰＲは雄ホック３２Ｍ、雌ホック３２Ｆをはめ合わせることによってこの硬貨収納部１２の蓋となり、硬貨ＣＯＮを確実に収納しておくことができる。またカード収納部１３の切欠１３ＣＴは、カード収納部１３に収納されているカードＣＲＤを人指で直接に触れることができるようにしていて、カードＣＲＤの出し入れをしやすくしている。加えて、硬貨収納部１２の突片１２ＰＲの形状とカード収納部１３の切欠１３ＣＴの形状を一致させていることにより、図１に示す二つ折り状態にするときに、突片１２ＰＲが切欠１３ＣＴにはまり込み、本来なら素材二枚の厚みが重なり合って分厚くなるところが、素材一枚の厚みになり、二つ折り状態での財布１の厚みを薄くできる。
【００１９】
以上のように実施の形態の財布１は、紙幣ＢＩＬを折らずに開いた状態で収納できる二つ折り型の財布にして、硬貨ＣＯＮもカードＣＲＤも個別に収納でき、かつ、折り畳み時の厚みが薄く、携帯に便利な財布である。
【００２０】
尚、実施の形態では材料を縫い合わせて仕上げる説明をしたが、これに代えて該当箇所を接着することによっても同様の薄型の財布を作ることができる。雄雌のホックに代えて面状ファスナーを利用することもできる。材料も本革、合成皮革、布を問うものではない。
【００２１】
加えて、硬貨収納部１２とカード収納部１３とはその形成場所を図示実施の形態とは左右逆にしてもよい。
【符号の説明】
【００２２】
１  財布
１１  紙幣収納部
１２  硬貨収納部
１２ＢＴ  不縫着部
１２ＴＰ  （縫い合わせる）短辺
１２ＰＲ  突片
１３  カード収納部
１３ＢＴ  不縫着部
１３ＴＰ  （縫い合わせる）短辺
１３ＣＴ  切欠
【図１】
0003201862.tif 000003
【図２】
0003201862.tif 000004
【図３】
0003201862.tif 000005
【図４】
0003201862.tif 000006
【図５】
0003201862.tif 000007